(57)【要約】【課題】  本発明は、簡易な構成で過充電状態を未然にかつ精度良く防止することができる充電制御装置及び充電制御方法を実現しようとするものである。【解決手段】  外部電源から供給される充電電流を２次電池に充電する充電制御装置及び充電制御方法において、２次電池への充電電流の供給開始時に、当該２次電池に接続された抵抗の両端側に生じる電位差を差動増幅させる増幅手段の２入力端間を短絡させて、増幅手段から出力されるオフセット電圧をキャンセルするように当該増幅手段を制御した後、増幅手段の各入力端間を開放させて、増幅手段の出力電圧に基づいて、充電電流の電流値を計測するようにした。【選択図】        図２
2006033917.tif 000002
【特許請求の範囲】
【請求項１】
外部電源から供給される充電電流を２次電池に充電する充電制御装置において、
２入力端が上記２次電池に接続された抵抗の一端及び他端に対応して接続され、当該各入力端間に生じる電位差を差動増幅させる増幅手段と、
上記抵抗に並列接続され、所定タイミングで上記増幅手段の各上記入力端間を短絡させ又は開放させる切換手段と、
上記切換手段により各上記入力端間が開放された状態で、上記増幅手段の出力電圧に基づいて、上記充電電流の電流値を計測する電流計測手段と、
上記切換手段により各上記入力端間が短絡された状態で、上記増幅手段から出力されるオフセット電圧をキャンセルするように当該増幅手段を制御する制御手段と
を具え、
上記切換手段は、上記２次電池への上記充電電流の供給開始時に、上記増幅手段の各上記入力端間を短絡させた後、当該増幅手段の各上記入力端間を開放させる
ことを特徴とする充電制御装置。
【請求項２】
上記電流計測手段により計測された上記充電電流の電流値が所定値以下に達したとき、上記２次電池への上記充電電流の供給を停止させる充電停止手段
を具えることを特徴とする請求項１に記載の充電制御装置。
【請求項３】
上記切換手段は、
上記充電電流の電流値が所定値に達したとき、上記増幅手段の各上記入力端間を短絡させた後、当該増幅手段の各上記入力端間を開放させる
ことを特徴とする請求項１に記載の充電制御装置。
【請求項４】
外部電源から供給される充電電流を２次電池に充電する充電制御方法において、
上記２次電池への上記充電電流の供給開始時に、当該２次電池に接続された抵抗の両端側に生じる電位差を差動増幅させる増幅手段の２入力端間を短絡させて、上記増幅手段から出力されるオフセット電圧をキャンセルするように当該増幅手段を制御する第１のステップと、
上記増幅手段の各上記入力端間を開放させて、上記増幅手段の出力電圧に基づいて、上記充電電流の電流値を計測する第２のステップと
を具えることを特徴とする充電制御方法。
【請求項５】
上記第２のステップでは、
上記充電電流の電流値が所定値以下に達したとき、上記２次電池への上記充電電流の供給を停止させる
を具えることを特徴とする請求項４に記載の充電制御方法。
【請求項６】
上記第２のステップでは、
上記充電電流の電流値が所定値に達したとき、上記増幅手段の各上記入力端間を短絡させた後、当該増幅手段の各上記入力端間を開放させる
を具えることを特徴とする請求項４に記載の充電制御方法。
【発明の詳細な説明】
【技術分野】
【０００１】
本発明は充電制御装置及び充電制御方法に関し、例えば携帯型のＭＤ（Mini Disc）プレーヤに適用して好適なものである。
【背景技術】
【０００２】
従来、この種の携帯型のＭＤプレーヤにおいては、携帯時には装脱自在に搭載されたリチウムイオン電池等の２次電池を電流供給源として使用する一方、自宅内などの室内環境下では家庭用電源を電流供給源として所定のＡＣ（Alternating Current）アダプタを介して使用するようになされたものが一般的である。
【０００３】
かかるＭＤプレーヤでは、充電時には、装填されている２次電池に家庭用電源からＡＣアダプタを介して直流電流を供給させながら定電流充電を行い、当該２次電池を予め設定された上限電圧まで上昇させた後、定電圧充電に移行させると共に充電電流を徐々に減少させるようにして充電を完了する。
【０００４】
通常、このようなＭＤプレーヤには、充電開始時点から所定時間経過後に２次電池への電流供給を停止させるタイマ充電機能が搭載されたものが多いが、２次電池の残存容量に関係なくある一定時間充電を継続するため、当該２次電池の残存容量によっては過充電状態となり、電池寿命などの影響を与えるおそれがあった。
【０００５】
この問題を解決する１つの方法として、２次電池に供給される充電電流の状態を電流検出回路を用いて検出しながら、その検出結果に基づいてスイッチ回路を切換制御することにより、２次電池に対する充電電流の印加状態を制御するようになされた手法が提案されている（例えば、特許文献１参照）。
【０００６】
かかる特許文献１のような充電制御方法では、充電電流を検出する電流検出回路を差動増幅器及びコンパレータから構成し、電流源から供給される充電電流を差動増幅器において電圧変換した後、その出力電圧をコンパレータにおいて所定の閾値を基準に比較することにより、当該比較結果に応じて充電動作を停止又は継続するようになされている。
【特許文献１】特開平８−８８０２６号公報（図１、図３）
【発明の開示】
【発明が解決しようとする課題】
【０００７】
ところが、この特許文献１のような充電制御方法では、２次電池に供給する充電電流が30〔ｍＡ〕以下になったとき充電動作を停止することが可能であるが、電流検出回路を構成する差動増幅回路及びコンパレータからそれぞれオフセット電圧が出力されるため、実際上、充電電流の電流値を10〔ｍＡ〕程度と非常に小さい値まで正確に検出することは非常に困難であった。
【０００８】
本発明は以上の点を考慮してなされたもので、簡易な構成で過充電状態を未然にかつ精度良く防止することができる充電制御装置及び充電制御方法を提案しようとするものである。
【課題を解決するための手段】
【０００９】
かかる課題を解決するため本発明においては、外部電源から供給される充電電流を２次電池に充電する充電制御装置において、２入力端が２次電池に接続された抵抗の一端及び他端に対応して接続され、当該各入力端間に生じる電位差を差動増幅させる増幅手段と、抵抗に並列接続され、所定タイミングで増幅手段の各入力端間を短絡させ又は開放させる切換手段と、切換手段により各入力端間が開放された状態で、増幅手段の出力電圧に基づいて、充電電流の電流値を計測する電流計測手段と、切換手段により各入力端間が短絡された状態で、増幅手段から出力されるオフセット電圧をキャンセルするように当該増幅手段を制御する制御手段とを設け、切換手段は、電流計測手段による計測開始時に、増幅手段の各入力端間を短絡させた後、当該増幅手段の各入力端間を開放させるようにした。
【００１０】
この結果この充電制御装置では、２次電池への充電開始時に、増幅手段から出力されるオフセット電圧をキャンセルさせるように当該増幅手段を制御した後に、充電電流の電流値を計測するようにしたことにより、当該充電電流の電流値が非常に小さい値でも計測することができる。
【００１１】
また本発明においては、外部電源から供給される充電電流を２次電池に充電する充電制御方法において、２次電池への充電電流の供給開始時に、当該２次電池に接続された抵抗の両端側に生じる電位差を差動増幅させる増幅手段の２入力端間を短絡させて、増幅手段から出力されるオフセット電圧をキャンセルするように当該増幅手段を制御する第１のステップと、増幅手段の各入力端間を開放させて、増幅手段の出力電圧に基づいて、充電電流の電流値を計測する第２のステップとを設けるようにした。
【００１２】
この結果この充電制御方法では、２次電池への充電開始時に、増幅手段から出力されるオフセット電圧をキャンセルさせるように当該増幅手段を制御した後に、充電電流の電流値を計測するようにしたことにより、当該充電電流の電流値が非常に小さい値でも計測することができる。
【発明の効果】
【００１３】
上述のように本発明によれば、外部電源から供給される充電電流を２次電池に充電する充電制御装置において、２入力端が２次電池に接続された抵抗の一端及び他端に対応して接続され、当該各入力端間に生じる電位差を差動増幅させる増幅手段と、抵抗に並列接続され、所定タイミングで増幅手段の各入力端間を短絡させ又は開放させる切換手段と、切換手段により各入力端間が開放された状態で、増幅手段の出力電圧に基づいて、充電電流の電流値を計測する電流計測手段と、切換手段により各入力端間が短絡された状態で、増幅手段から出力されるオフセット電圧をキャンセルするように当該増幅手段を制御する制御手段とを設け、切換手段は、電流計測手段による計測開始時に、増幅手段の各入力端間を短絡させた後、当該増幅手段の各入力端間を開放させるようにしたことにより、２次電池に供給する充電電流の電流値が非常に小さい値でも計測することができ、かくして簡易な構成で過充電状態を未然にかつ精度良く防止することができる充電制御装置を実現できる。
【００１４】
また本発明においては、外部電源から供給される充電電流を２次電池に充電する充電制御方法において、２次電池への充電電流の供給開始時に、当該２次電池に接続された抵抗の両端側に生じる電位差を差動増幅させる増幅手段の２入力端間を短絡させて、増幅手段から出力されるオフセット電圧をキャンセルするように当該増幅手段を制御した後、増幅手段の各入力端間を開放させて、増幅手段の出力電圧に基づいて、充電電流の電流値を計測するようにしたことにより、２次電池に供給する充電電流の電流値が非常に小さい値でも計測することができ、かくして簡易な構成で過充電状態を未然にかつ精度良く防止することができる充電制御方法を実現できる。
【発明を実施するための最良の形態】
【００１５】
以下図面について、本発明の一実施の形態を詳述する。
【００１６】
（１）本実施の形態による光磁気ディスク記録再生装置の構成
図１において、１は全体として本実施の形態による光磁気ディスク記録再生装置を示し、外部から供給される音声信号Ｓ１をＭＤ（Mini Disc）等の光磁気ディスク２に記録し、又は光磁気ディスク２から再生した音声信号Ｓ２を外部に出力し得るようになされている。
【００１７】
すなわちかかる光磁気ディスク記録再生装置１においては、ユーザによる操作部３の操作に応じて記録モードが選択されると、装置全体の制御を司るシステムコントローラ４は、外部から順次供給される音声信号Ｓ１を入力端子５を介してオーディオ符号器６に取り込んで所定の符号化処理を施した後、得られた符号化音声データＤ１をメモリコントローラ７に送出する。
【００１８】
このメモリコントローラ７は、必要に応じてメモリ７Ａをバッファとして用いながら、符号化音声データＤ１をエラー訂正符号／復号器８に送出して、例えばセクタ単位（２〔kbyte〕単位）ごとに所定の誤り訂正符号を付加した後、続くデータ変復調器９に送出して、ＥＦＭ（Eight to Fourteen Modulation）変調処理を施し、かくして得られた記録データＤ２を光ピックアップ１０及び磁界変調ドライバ１１に送出する。
【００１９】
光ピックアップ１０は、レーザダイオード、コリメータレンズ、対物レンズ及び受光素子等の光学系デバイスと、レーザダイオードドライバ等の電気系デバイスとを有し、供給される記録データＤ２に応じて変調した光ビームを光磁気ディスク２の記録面に照射する。
【００２０】
またこのとき光ピックアップ１０は、光磁気ディスク２からの反射光に基づいてトラッキングエラー信号及びフォーカスエラー信号等のサーボエラー信号Ｓ３と、プッシュプル信号Ｓ４とを生成し、これらの信号Ｓ３、Ｓ４をデータ変復調器９及び続くエラー訂正符号／復号器８を介してドライブ制御部１２に送出する。
【００２１】
ドライブ制御部１２は、供給されるサーボエラー信号Ｓ３に基づいてサーボ回路１３を制御してスピンドルモータ１４を駆動することにより、光磁気ディスク２を所定速度で回転駆動する。またドライブ制御部１２は、サーボエラー信号Ｓ３に基づいてエラー訂正符号／復号器８及びデータ変復調器９を介して磁界変調ドライバ１１を制御してスレッドモータ１５を駆動することにより、光磁気ディスク２上の光ビームのビームスポット（以下、これを単にビームスポットと呼ぶ）を光磁気ディスク２の記録面に形成されたデータトラック（プリグルーブ又はランド）に沿って当該光磁気ディスク２の径方向に移動させる。
【００２２】
さらにドライブ制御部１２は、サーボエラー信号Ｓ３に基づいてサーボ回路１３を制御して、光ピックアップ１０内の図示しない２軸アクチュエータを駆動制御することより、トラッキング制御及びフォーカス制御を行う。
【００２３】
一方、データ変復調器９は、供給されるプッシュプル信号Ｓ４をデコード処理することにより、光磁気ディスク２におけるそのときのビームスポットの絶対番地を検出し、これをエラー訂正符号／復号器８及び続くメモリコントローラ７を介してシステムコントローラ４に送出する。
【００２４】
すなわちデータ変復調器９は、プッシュプル信号Ｓ４をその内部に設けられた中心周波数22.05〔Hz〕とする±１〔kHz〕の範囲のバンドパスフィルタ回路を通すことにより当該プッシュプル信号Ｓ４に含まれるウォブル成分を抽出すると共に、当該ウォブル成分にＦＭ復調処理を施すことによりそのときビームスポットが位置している光磁気ディスク２上の絶対番地を検出し、これをアドレス情報Ｓ５としてエラー訂正符号／復号器８及び続くメモリコントローラ７を介してシステムコントローラ４に送出する。
【００２５】
またデータ変復調器９は、上述のようなデコード処理により得られる光磁気ディスク２上での絶対番地が変化するごとに（すなわち光磁気ディスク２におけるビームスポットが走査するセクタが変わるごとに）、これを知らせるシンク割込信号Ｓ６をエラー訂正符号／復号器８及び続くメモリコントローラ７を介してシステムコントローラ４に送出する。
【００２６】
かくしてシステムコントローラ４は、データ変復調器９から与えられるこれらアドレス情報信号Ｓ５及びシンク割込信号Ｓ６に基づいて、光磁気ディスク２におけるそのときの記録位置を順次認識し、当該認識結果に基づいて記録データＤ２を正しく光磁気ディスク２に記録し得るように、必要な制御処理を実行する。
【００２７】
これに対してユーザによる操作部３の操作に応じて再生モードが選択されると、システムコントローラ４は、ドライブ制御部１２を制御することにより、上述の記録モード時と同様にして、光磁気ディスク２を所定速度で回転駆動させると共に、ビームスポットを光磁気ディスク２のデータトラックに沿って移動させ、かつトラッキング制御及びフォーカス制御を行わせる。
【００２８】
またシステムコントローラ４は、上述した光ピックアップ１０内のレーザダイオードを駆動することにより光ビームを光磁気ディスク２に向けて発射させる。この結果この光ビームが光磁気ディスク２の記録面において反射し、その反射光に基づき得られるＲＦ信号でなる光磁気ディスク２から読み出された読出しデータＤ３が光ピックアップ１０からデータ変復調器９を介してエラー訂正符号／復号器８に与えられる。
【００２９】
エラー訂正符号／復号器は８、ＰＬＬ（Phase Locked Loop）回路、同期データ検出部、ＥＦＭ復調部、ＣＩＲＣデコード部及びレイヤードＥＣＣ復調部（全て図示せず）から構成されており、ＰＬＬ回路において供給される読出しデータＤ３からクロックを抽出し、当該抽出したクロックを読出しデータＤ３と共に同期データ検出部に送出する。
【００３０】
同期データ検出部は、供給されるクロックに基づいて、上述した同期データのデータパターンよりも前後に所定ピットずつ大きいパルス幅の同期データ検出用ウィンドウパルスを生成する。そして同期データ検出部は、この同期データ検出用ウィンドウパルスを順次検出すると共に、検出結果に基づいて、読出しデータＤ３を所定単位で順次ＥＦＭ復調部に送出する。
【００３１】
そしてこの読出しデータＤ３は、この後ＥＦＭ復調部においてＥＦＭ復調処理され、ＣＩＲＣデコード部においてＣＩＲＣ復号化処理され、さらにレイヤードＥＣＣ復調部において誤り訂正処理が施されることにより記録前の元のフォーマットの音声データＤ４に変換され、この後メモリコントローラ７を介してオーディオ復号器６に送出される。なおエラー訂正符号／復号器８は、上述の各種処理を実行する際に、メモリ１６をバッファとして必要に応じて用いるようになされている。
【００３２】
オーディオ復号器６は、音声データＤ４に対して所定の復号化処理を施した後、得られた音声信号Ｓ２を出力端子１７を介して外部に出力すると共にスピーカ１８に送出して音声出力させる。
【００３３】
このようにしてこの光磁気ディスク記録再生装置１では、外部から供給される音声信号Ｓ１を光磁気ディスク２に記録したり、当該光磁気ディスク２から再生した音声信号Ｓ２を外部又はスピーカ１８に出力し得るようになされている。
【００３４】
なお光磁気ディスク記録再生装置１では、システムコントローラ４は、記録モード及び再生モードにおいて、音声データＤ４に付加された種々の関連情報（例えばタイトル名、記録又は再生時間など）をＬＣＤ（Liquid Crystal Display）からなる表示部１９の表示画面に表示させるようになされている。
【００３５】
さらに光磁気ディスク記録再生装置１においては、ＤＣ（Direct Current）入力端子を有し、一端が外部に設けられた家庭用電源（図示せず）に接続されたＡＣアダプタ２１の他端が接続されることにより、当該家庭用電源を電流供給源として使用し得るようになされている。
【００３６】
実際に家庭用電源及びＤＣ入力端子２０間にＡＣアダプタ２１が接続されると、当該家庭用電源から供給される交流電流Ｓ１０が当該ＡＣアダプタ２１の定格電流値でなる直流電流Ｓ１１に変換された後、当該直流電流Ｓ１１がＤＣ入力端子２０を介して電源供給部２２に与えられる。
【００３７】
この電源供給部２２は、供給される直流電流Ｓ１１をシステム電流として、光磁気ディスク記録再生装置１を構成する各種回路にそれぞれ供給するようになされている。その際、電源供給部２２は、これら全回路に供給するシステム電流Ｓ１１の電流値を計測し、当該計測結果を所定の時間タイミングでシステムコントローラ４に逐次伝達するようになされている。
【００３８】
かかる構成に加えて、光磁気ディスク記録再生装置１においては、例えばリチウムイオン電池等の２次電池２３を固定して又は装脱自在に収納するための電池収納部２４が設けられ、当該電池収納部２４に収納された２次電池２３を携帯時など必要に応じて電源供給源として使用し得るようになされている。すなわち電池収納部２４に収納された２次電池２３は、使用時には、自己の充電電流を電源供給部２２を介して全回路にシステム電流Ｓ１２として供給し得るようになされている。
【００３９】
また電池収納部２４に収納された２次電池２３は、ＤＣ入力端子２０を介して外部の家庭用電源からＡＣアダプタ２１を介して供給される直流電流Ｓ１１を用いて充電し得るようになされている。具体的に光磁気ディスク記録再生装置１には、ＤＣ入力端子２０及び電池収納部２４間に充電ＩＣ（Integrated Circuit）部２５が設けられ、システムコントローラ４の制御に基づいて当該充電ＩＣ部２５がＤＣ入力端子２０を介して供給される直流電流Ｓ１１の電流値を調整することにより、かかる電流値が調整された直流電流を充電電流Ｓ１２として電池収納部２４に収納された２次電池２３に供給し得るようになされている。
【００４０】
（２）充電ＩＣ部の内部構成
ここで図２に充電ＩＣ部２５の内部構成を示す。この充電ＩＣ部２５は、外部からＤＣ入力端子２０を介して入力される直流電流Ｓ１１を一定電流値に保つと共に入出力間で電圧値を一定に保つための定電圧定電流制御回路３０と、当該定電圧定電流制御回路３０を介して得られる直流電流Ｓ１１を所定の抵抗値をもつ電流センス抵抗３１の両端側で電位差を生じさせて当該電位差を差動増幅させるための電流センサアンプ３２とから構成されている。
【００４１】
この充電ＩＣ部２５において、定電圧定電流制御回路３０及び電池収納部２４間には所定の抵抗値（例えば数十〔ｍΩ〕〜数〔Ω〕）をもつ電流センス抵抗３１が接続され、当該電流センス抵抗３１の一端及び他端には、それぞれ電流センサアンプ３２の２入力端Ｔ１、Ｔ２が対応して接続されている。
【００４２】
この電流センサアンプ３２は、その２入力端Ｔ１、Ｔ２が電流センス抵抗３１と並列関係を保ってスイッチ回路３３の一端及び他端と接続されると共に、その出力端Ｔ３がシステムコントローラ４に接続されている。システムコントローラ４は、スイッチ回路３３の制御入力端（図示せず）及び電流センサアンプ３２のオフセット調整用端子Ｔ４に接続されている。
【００４３】
かかる構成に加えて充電ＩＣ部２５には、電流センス抵抗３１及び電池収納部２４間にはスイッチ回路３４の一端及び他端が接続され、システムコントローラ４が当該スイッチ回路３４をオン状態又はオフ状態に切換制御することにより、２次電池２３に対する充電動作を継続又は停止させ得るようになされている。
【００４４】
実際にシステムコントローラ４は、２次電池２３の充電動作の開始時及び所定のタイミング時において、充電ＩＣ部２５内のスイッチ回路３３をオン状態となるように切り換え制御した後、電流センサアンプ３２の出力端から出力される出力電圧に基づいて、電流センサアンプ３２の出力オフセット電圧がゼロになる（すなわちキャンセルする）ように、オフセット調整用端子Ｔ４から電圧を印加するようにしてフィードバック制御する（以下、この動作をキャリブレーション動作という）。
【００４５】
具体的に充電ＩＣ部２５では、システムコントローラ４がスイッチ回路３３をオン状態に切り換えると、電流センサアンプ３２の２入力端Ｔ１、Ｔ２がショートされることから、当該電流センサアンプ３２の出力端Ｔ３からは入力オフセット電圧をゲイン倍した出力オフセット電圧が出力される。従ってシステムコントローラ４は、電流センサアンプ３２のオフセット調整用端子Ｔ４に接続された可変抵抗器（図示せず）を調整して当該電流センサアンプ３２の出力オフセット電圧をキャンセルすることができる。
【００４６】
その後システムコントローラ４は、電流センサアンプ３２の出力オフセット電圧をキャリブレーション動作によりキャンセルした後、スイッチ回路３３をオフ状態となるように切り換え制御して、電流センサアンプ３２の出力端Ｔ３からの出力電圧に基づいて、ＤＣ入力端子２０を介して外部から供給される直流電流Ｓ１１を正確に計測することができる。
【００４７】
ここで例えばリチウムイオン電池からなる２次電池２３について、常温（25〔℃〕）下で上限規定の充電電流を370〔ｍＡ〕及びその充電電圧を4.2〔Ｖ〕としたとき、当該２次電池２３の充電時間とその充電電流及び充電電圧との関係は、図３に示すようにそれぞれ特性曲線Ｆ１、Ｆ２として表される。
【００４８】
この図３において、まず特性曲線Ｆ１では、充電開始時点（０〔min〕）から56〔min〕経過するまでは、充電電流の電流値が3.85〔ｍＡ〕のまま一定値を保ちつつ、56〔min〕経過した後は２次関数的に減少し続ける。一方、特性曲線Ｆ２では、充電開始時点（０〔min〕）から４〔min〕経過するまでは、充電電圧の電圧値が3.85〔Ｖ〕まで急激に上昇した後、４〔min〕時点から56〔min〕経過するまでは徐々に上昇しながら4.2〔Ｖ〕まで到達させ、そのまま4.2〔Ｖ〕を維持し続ける。
【００４９】
（３）充電制御処理手順
本実施の形態による光磁気ディスク記録再生装置１では、システムコントローラ４は、ＤＣ入力端子２０にＡＣアダプタ２１を介して家庭用電源と接続された状態で、電池収納部２４内に２次電池２３が収納されると、図４に示す充電制御処理手順ＲＴ１をステップＳＰ０から開始し、続くステップＳＰ１において、充電ＩＣ部２５内のスイッチ回路３３をオン状態に切換制御すると共にオフセット調整用端子Ｔ４に接続された可変抵抗器（図示せず）を調整するようにして電流センサアンプ３２の出力オフセット電圧をキャンセルする。
【００５０】
続いてシステムコントローラ４は、ステップＳＰ２に進んで、充電ＩＣ部２５内のスイッチ回路３３をオフ状態に切換制御して２次電池２３に供給する充電電流を１秒ごとに検出しながら、ステップＳＰ３に進んで、２次電池２３に供給する充電電流の電流値が50〔ｍＡ〕になったか否かを判断し、肯定結果が得られた場合のみステップＳＰ４に進む一方、否定結果が得られた場合には再度ステップＳＰ２−ＳＰ３に戻って充電電流の電流値が50〔ｍＡ〕になるのを待つ。
【００５１】
このステップＳＰ４において、システムコントローラ４は、充電ＩＣ部２５内のスイッチ回路３３をオン状態に切換制御すると共にオフセット調整用端子Ｔ４に接続された可変抵抗器（図示せず）を調整するようにして電流センサアンプ３２の出力オフセット電圧をキャンセルした後、ステップＳＰ５に進んで、２次電池２３に供給する充電電流を１秒ごとに検出する。
【００５２】
かかるステップＳＰ４において２次電池２３に供給する充電電流の電流値が50〔ｍＡ〕になったときにもキャリブレーション動作を実行して電流センサアンプ３２の出力オフセット電圧をキャンセルさせたのは、充電動作の継続による温度上昇などの要因によって、電流センサアンプ３２の出力オフセット電圧が充電開始時と異なる場合が生じるため、この段階で再度、当該電流センサアンプ３２の出力オフセット電圧をキャンセルさせた方がより充電電流の検出精度を向上させることができるからである。
【００５３】
やがてシステムコントローラ４は、ステップＳＰ６に進んで、充電ＩＣ部２５内のスイッチ回路３３をオフ状態に切換制御して２次電池２３に供給する充電電流の電流値が10〔ｍＡ〕以下になったか否かを判断し、肯定結果が得られた場合には、ステップＳＰ７に進んで、２次電池２３に対する充電動作を停止させた後、そのままステップＳＰ８に進んで、当該充電制御処理手順ＲＴ１を終了する。
【００５４】
一方、このステップＳＰ６において否定結果が得られた場合には、システムコントローラ４は、再度ステップＳＰ５に戻って２次電池２３に供給する充電電流を検出しながら、ステップＳＰ６において肯定結果が得られるまで検出を継続する。
【００５５】
このように光磁気ディスク記録再生装置１では、充電対象となる２次電池の充電開始時及び充電電流が所定値になった際に、充電ＩＣ内の電流センサアンプ３２の出力オフセット電圧をキャリブレーション動作によりキャンセルさせておくことにより、当該充電電流の電流値が10〔ｍＡ〕以下になったか否かを正確に検出することができる。
【００５６】
（４）本実施の形態による動作及び効果
以上の構成において、この光磁気ディスク記録再生装置１では、電池収納部２４に収納された２次電池２３の充電を開始する際、充電ＩＣ部２５内の電流センサアンプ３２の出力オフセット電圧をキャリブレーション動作によりキャンセルすることにより、２次電池２３に供給する充電電流の電流値の計測精度を格段と向上させることができる。
【００５７】
そして光磁気ディスク記録再生装置１では、２次電池２３に供給する充電電流の電流値が50〔ｍＡ〕になったときに、電流センサアンプ３２の出力オフセット電圧を再度キャリブレーション動作によりキャンセルすることにより、その段階までに発生した温度上昇などの要因に基づき充電開始時との間で生じた出力オフセット電圧の誤差を解消することができ、この結果、２次電池２３に供給する充電電流の電流値の計測精度をさらに向上させることができる。
【００５８】
このようにして光磁気ディスク記録再生装置１では、２次電池２３の電流値が10〔ｍＡ〕以下になったのを正確に検出することができ、当該検出時点で２次電池２３への充電電流を停止させることができる。
【００５９】
以上の構成によれば、この光磁気ディスク記録再生装置１において、電池収納部２４に収納された２次電池２３の充電開始の際及び所定の電流値に達した際、充電ＩＣ部２５内の電流センサアンプ３２の出力オフセット電圧をキャリブレーション動作によりキャンセルさせた後に当該２次電池２３に供給する充電電流の電流値を計測するようにしたことにより、充電電流の電流値が10〔ｍＡ〕のような非常に小さい値でも計測することができ、かくして簡易な構成で過充電状態を未然にかつ精度良く防止することができる。
【００６０】
（５）他の実施の形態
なお上述の本実施の形態においては、本発明を図１に示すような光磁気ディスク記録再生装置１に適用するようにした場合について述べたが、本発明はこれに限らず、要は、外部電源から供給される充電電流を２次電池に充電する電子機器であれば、光磁気ディスク記録再生装置１のみならず、ＤＶＤ（Digital Versatile Disk）等の記録及び又は再生装置や、ＣＤ（Compact Disk）等の光ディスクの記録及び又は再生装置やビデオカメラ、携帯電話機など、この他種々の構成の電子機器に広く適用することができる。
【００６１】
また上述の本実施の形態においては、２次電池としてリチウムイオン電池等の２次電池２３を適用した場合について述べたが、本発明はこれに限らず、要は、家庭用電源（外部電源）からＡＣアダプタ２１を介して供給される充電電流を充電することができれば、この他にも種々の構成からなる２次電池に広く適用することができる。
【００６２】
さらに上述の本実施の形態においては、２入力端Ｔ１、Ｔ２が２次電池２３に接続された電流センス抵抗（抵抗）３１の一端及び他端に対応して接続され、当該各入力端Ｔ１、Ｔ２間に生じる電位差を差動増幅させる増幅手段として、充電ＩＣ部２５内の電流センサアンプ３２を適用した場合について述べたが、本発明はこれに限らず、この他種々の構成からなる増幅手段に広く適用するようにしても良い。
【００６３】
さらに上述の本実施の形態においては、電流センス抵抗（抵抗）３１に並列接続され、所定タイミングで電流センサアンプ（増幅手段）３２の各入力端Ｔ１、Ｔ２間を短絡させ又は開放させる切換手段を、システムコントローラ４及び充電ＩＣ部２５内のスイッチ回路３３から構成するようにした場合について述べたが、本発明はこれに限らず、要は、必要に応じて電流センサアンプ（増幅手段）３２の各入力端Ｔ１、Ｔ２間を短絡させることができれば、この他種々の構成からなる切換手段に広く適用するようにしても良い。
【００６４】
さらに上述の本実施の形態においては、電流センサアンプ（増幅手段）３２の出力電圧に基づいて、充電電流の電流値を計測する電流計測手段として、システムコントローラ４を適用した場合について述べたが、本発明はこれに限らず、充電電流の電流値を計測可能なこの他種々の構成からなる電流計測手段に広く適用するようにしても良い。
【００６５】
さらに上述の本実施の形態においては、電流センサアンプ（増幅手段）３２から出力されるオフセット電圧をキャンセルする（すなわちキャリブレーション動作する）ように当該電流センサアンプ（増幅手段）３２を制御する制御手段として、システムコントローラ４を適用するようにした場合について述べたが、本発明はこれに限らず、要は、電流センサアンプ（増幅手段）３２の出力オフセット電圧に起因する充電電流の電流値の誤差を解消することができれば、この他種々の構成からなる制御手段に広く適用するようにしても良い。
【００６６】
さらに上述の本実施の形態においては、システムコントローラ４及びスイッチ回路３３からなる切換手段は、２次電池２３への充電電流の供給開始時のみならず、充電電流の電流値が50〔ｍＡ〕（所定値）に達したとき、電流センサアンプ（増幅手段）３２の各入力端Ｔ１、Ｔ２間を短絡させた後、当該電流センサアンプ（増幅手段）３２の各入力端Ｔ１、Ｔ２間を開放させるようにした場合について述べたが、本発明はこれに限らず、２次電池２３への充電電流の供給開始時のみでも良く、又は50〔ｍＡ〕以外にも充電による温度上昇などの要因を解消し得る種々の電流値を設定しておき、当該設定値に達したときでも良い。
【００６７】
その際、設定値を複数レベルの電流値として数多く設定しておき、当該各電流値に達したときに電流センサアンプ（増幅手段）３２の各入力端Ｔ１、Ｔ２間を短絡させるようにすれば、電流センサアンプ（増幅手段）３２から出力されるオフセット電圧をキャンセルする機会が増加する分、システムコントローラ（電流計測手段）４による充電電流の電流値の計測精度をより一層向上させることができる点で有効である。また電流値のみならず、２次電池２３への充電電流の供給開始時点から所定の時間タイミングで逐次電流センサアンプ（増幅手段）３２の各入力端Ｔ１、Ｔ２間を短絡させるようにした場合も同様の効果を得ることができる。
【００６８】
さらに上述の本実施の形態においては、システムコントローラ（電流計測手段）４により計測された充電電流の電流値が所定値（10〔ｍＡ〕）以下に達したとき、２次電池２３への充電電流の供給を停止させる充電停止手段として、システムコントローラ４及び充電ＩＣ部２５内のスイッチ回路３４を適用するようにした場合について述べたが、本発明はこれに限らず、この他種々の構成からなる充電停止手段に広く適用するようにしても良い。
【００６９】
また充電動作の停止の閾値としての所定値を10〔ｍＡ〕とした場合について述べたが、10〔ｍＡ〕以下の値であっても計測可能であれば、その値を充電動作を停止させるための閾値とするようにしても良い。
【産業上の利用可能性】
【００７０】
充電制御装置及び充電制御方法において、携帯型のオーディオ機器や携帯電話機などに適用することができる。
【図面の簡単な説明】
【００７１】
【図１】本第１の実施の形態による光磁気ディスク記録再生装置の構成を示すブロック図である。
【図２】図１に示す充電ＩＣ部の内部構成を示すブロック図である。
【図３】充電電流及び充電電圧の特性の説明に供するグラフである。
【図４】充電制御処理手順の説明に供するフローチャートである。
【符号の説明】
【００７２】
１……光磁気ディスク記録再生装置、２……光磁気ディスク、３……操作部、４……システムコントローラ、１０……光ピックアップ、２２……電源供給部、２３……２次電池、２４……電池収納部、２５……充電ＩＣ部、３０……定電圧定電流制御回路、３１……電流センス抵抗、３２……電流センサアンプ、３３、３４……スイッチ回路、Ｆ１、Ｆ２……特性曲線、ＲＴ１……充電制御処理手順。
【図１】
2006033917.tif 000003
【図２】
2006033917.tif 000004
【図３】
2006033917.tif 000005
【図４】
2006033917.tif 000006